(57)【特許請求の範囲】
【請求項１】
テレビカメラによって撮影した映像信号を出力するカメラ付きドアホン子器、及び映像信号を入力して映像を映し出すとともに接続したカメラ付きドアホン子器に電源を供給するテレビ付きインターホン親機に２線ケーブルによって各々接続しており、
映像信号及び音声信号を出力する信号回路と、テレビ付きインターホン親機−カメラ付きドアホン子器間を外部からの第１の操作を受けて接続し、第２の操作を受けて遮断する第１のスイッチ回路と、テレビ付きインターホン親機−信号回路間を外部からの第１の操作を受けて遮断し、第２の操作を受けて接続する第２のスイッチ回路と、テレビ付きインターホン親機とカメラ付きドアホン子器とが接続していない場合にはカメラ付きドアホン子器に電源を供給する給電回路と、カメラ付きドアホン子器−給電回路間を外部からの第１の操作を受けて遮断し、第２の操作を受けて接続する第３のスイッチ回路とを備えて、
外部からの第１の操作によってテレビ付きインターホン親機にカメラ付きドアホン子器が出力する映像信号を入力し、且つテレビ付きインターホン親機からカメラ付きドアホン子器に電源を供給して、第２の操作によってテレビ付きインターホン親機に信号回路が出力する映像信号及び音声信号を入力し、且つ給電回路からカメラ付きドアホン子器に電源を供給することを特徴とする信号切換装置。
【請求項２】
カメラ付きドアホン子器が出力する来客からの報知である呼出信号を検出する呼出信号検出回路を備え、前記第３のスイッチ回路は、外部からの第１の操作を受けてカメラ付きドアホン子器−給電回路、呼出信号検出回路間を遮断し、第２の操作を受けてカメラ付きドアホン子器−給電回路、呼出信号検出回路間を接続することを特徴とする請求項１記載の信号切換装置。
【請求項３】
呼出信号検出回路がカメラ付きドアホン子器からの呼出信号を検出したとき、カメラ付きドアホン子器に代わってテレビ付きインターホン親機に対して呼出信号を発信する呼出信号発信回路を備えたことを特徴とする請求項２記載の信号切換装置。
【請求項４】
テレビ付きインターホン親機がカメラ付きドアホン子器に供給する電源は、テレビ付きインターホン親機とカメラ付きドアホン子器とが通話動作状態にあるときは動作電圧域内にあり、通話動作状態にないときは動作電圧域と異なる待機電圧域内にあり、テレビ付きインターホン親機に接続している２線ケーブルの線間電圧が前記動作電圧域内にあるか、または前記待機電圧域内にあるかにより親機側の通話動作状態を判別する電圧検出回路を備え、前記電圧検出回路の入力側は、テレビ付きインターホン親機を無極性で接続するためのダイオードブリッジを備え、出力側はテレビ付きインターホン親機に対して電気絶縁を保つために絶縁素子を備えていることを特徴とする請求項１乃至３いずれか記載の信号切換装置。
【請求項５】
カメラ付きドアホン子器はテレビ付きインターホン親機とのインターフェースとして、テレビ付きインターホン親機から供給される電源を無極性で接続するためのダイオードブリッジと、音声信号を入出力するための音声信号通信回路と、映像信号を出力するための映像信号出力回路とを備えており、信号回路は前記カメラ付きドアホン子器と同様にテレビ付きインターホン親機とのインターフェースとして、前記ダイオードブリッジと、前記音声信号通信回路と、前記映像信号出力回路とを備えることを特徴とする請求項１乃至４いずれか記載の信号切換装置。
【請求項６】
信号回路は、複数の音声信号から１つの音声信号を選択して音声信号通信回路に出力する音声信号選択回路と、複数の映像信号から１つの映像信号を選択して映像信号出力回路に出力する映像信号選択回路とを備えることを特徴とする請求項５記載の信号切換装置。
【請求項７】
信号回路は、操作毎に擬音を発生する音声信号を出力する擬音発生回路と、待ち受け画面として絵文字またはブルーバック画面または前記カメラ付きドアホン子器以外のカメラからの映像を映し出す映像信号を出力する映像信号発生回路とを備えることを特徴とする請求項６記載の信号切換装置。
【請求項８】
呼出信号検出回路がカメラ付きドアホン子器からの呼出信号を検出したと同時に外部からの第２の操作が為されたときは、第１の操作による動作を優先して行う判断手段を備えることを特徴とする請求項３乃至７いずれか記載の信号切換装置。
【発明の詳細な説明】
【０００１】
【発明の属する技術分野】
本発明は、カメラ付きドアホン子器と、テレビ付きインターホン親機とに２線ケーブルによって各々接続した信号切換装置に関するものである。
【０００２】
【従来の技術】
カメラ付きドアホン子器（以下、カメラ子機と称する）のテレビカメラによって撮影した映像をテレビ付きインターホン親機（以下、テレビ親機と称する）のモニターテレビに映し出し、来訪者の映像を確認して通話を行うテレビドアホンシステムにおいて、図５に示すようにテレビ親機２には複数のカメラ子機３を直接接続でき、これらの中からいずれかのカメラ子機を選択して接続動作が可能なシステムがある。
【０００３】
テレビ親機２−カメラ子機３間は、２線平衡ケーブル４によって各々接続され、音声信号、映像信号、制御信号、直流給電の周波数分割多重化伝送が行われている。テレビ親機２内部には複数のカメラ子機３に対する接続切換回路を備えており、テレビ親機２自身の操作や、他の機器からの制御信号によって、複数のカメラ子機３から１台を選択して接続している。
【０００４】
このようなシステムにあっては、切換選択してテレビ親機２に接続できるカメラ子機３は、同一機種に限定されており、その接続台数もテレビ親機２に装備されている入力端子の台数分に限定されている。
【０００５】
【発明が解決しようとする課題】
上記従来のテレビ親機２をそのまま用いて、カメラ子機３の台数を増やしたりカメラ子機３以外に他の映像信号や音声信号をテレビ親機２に接続する機能を追加する場合には、親機２とカメラ子機３とを接続している２線平衡ケーブル４に中継的な機能を有した信号切換装置を挿入する方法が考えられるが、その場合、下記１〜８のような技術的課題を解決する必要が生じる。
【０００６】
１．テレビ親機２に対しては必ず１台のみのカメラ子機３が選択接続される構成で、通話と映像の品質を確保するためにテレビ親機２−カメラ子機３間の伝送インピーダンスや周波数特性を劣化させない回路構成であること。
【０００７】
２．カメラ子機３をテレビ親機２から切り離し、別の信号をテレビ親機２に接続した場合でも、切り離されたカメラ子機３が出力する来客からの呼出しを継続して検知できる回路構成であること。
【０００８】
３．カメラ子機３を増設したり、カメラ子機３以外の他の信号系をテレビ親機２へ接続した場合にも、いずれのカメラ子機３からの呼出しに対しても、テレビ親機２が呼出し報知の機能を損なわない構成であること。
【０００９】
４．テレビ親機２といずれかのカメラ子機３とが既に接続されて動作状態にあるとき、信号切換装置側の一方的な操作切換えによってその動作を妨害しないために、テレビ親機２が動作状態にあることを信号切換装置側が検知できる回路構成であること。
【００１０】
５．テレビ親機２の端子は有極性であり、信号切換装置をこの端子に接続する場合、カメラ子機３と同様に極性を意識することなく無極性接続が可能であり、また、信号切換装置にカメラ子機３を接続する場合も無極性接続が可能な回路構成であること。
【００１１】
６．テレビ親機２に接続する信号として、カメラ子機３の出力信号だけでなく、文字信号や絵柄パターンを表示したり、その他の映像信号を表示する場合には、テレビ親機２から見てあたかもカメラ子機３が接続されているのと同じ構成とするために、信号切換装置内にカメラ子機３と同じインターフェース回路を構成し、このインターフェース回路への入力信号をアナログスイッチなどで切換えることにより、平衡２線伝送線路を切換えること無しに簡単に複数の映像信号を切換えてテレビ親機２に接続できる構成であること。
【００１２】
７．テレビ親機２の画面にカメラ子機３以外の映像を表示するための切換操作を行った場合に、テレビ親機２のスピーカから信号音を出力できる構成であること。
【００１３】
８．信号切換装置はテレビ親機２とカメラ子機３との間に挿入されるので、カメラ子機３の呼出しボタン操作と信号切換装置の切換操作とが同時になされた場合、信号切換装置側の操作が優先されることなく、従来通りカメラ子機３からの来客報知を優先させる構成であること。
【００１４】
すなわち、上記１〜８の技術的課題を解決した信号切換装置が望まれていた。
【００１５】
本発明は、上記事由に鑑みてなされたものであり、その目的は、テレビ親機の一つのカメラ子機接続端子を用いて、複数のカメラ子機や、他の映像及び音声信号を接続可能とし、実質的に接続できるカメラ子機の数を増やすのみならず、絵文字表示や音信号出力の機能を増加させることのできる機能豊富な信号切換装置を提供することにある。
【００１６】
【課題を解決するための手段】
請求項１の発明は、テレビカメラによって撮影した映像信号を出力するカメラ付きドアホン子器、及び映像信号を入力して映像を映し出すとともに接続したカメラ付きドアホン子器に電源を供給するテレビ付きインターホン親機に２線ケーブルによって各々接続しており、
映像信号及び音声信号を出力する信号回路と、テレビ付きインターホン親機−カメラ付きドアホン子器間を外部からの第１の操作を受けて接続し、第２の操作を受けて遮断する第１のスイッチ回路と、テレビ付きインターホン親機−信号回路間を外部からの第１の操作を受けて遮断し、第２の操作を受けて接続する第２のスイッチ回路と、テレビ付きインターホン親機とカメラ付きドアホン子器とが接続していない場合にはカメラ付きドアホン子器に電源を供給する給電回路と、カメラ付きドアホン子器−給電回路間を外部からの第１の操作を受けて遮断し、第２の操作を受けて接続する第３のスイッチ回路とを備えて、
外部からの第１の操作によってテレビ付きインターホン親機にカメラ付きドアホン子器が出力する映像信号を入力し、且つテレビ付きインターホン親機からカメラ付きドアホン子器に電源を供給して、第２の操作によってテレビ付きインターホン親機に信号回路が出力する映像信号及び音声信号を入力し、且つ給電回路からカメラ付きドアホン子器に電源を供給することを特徴とする。
【００１７】
請求項２の発明は、請求項１の発明において、カメラ付きドアホン子器が出力する来客からの報知である呼出信号を検出する呼出信号検出回路を備え、前記第３のスイッチ回路は、外部からの第１の操作を受けてカメラ付きドアホン子器−給電回路、呼出信号検出回路間を遮断し、第２の操作を受けてカメラ付きドアホン子器−給電回路、呼出信号検出回路間を接続することを特徴とする。
【００１８】
請求項３の発明は、請求項２の発明において、呼出信号検出回路がカメラ付きドアホン子器からの呼出信号を検出したとき、カメラ付きドアホン子器に代わってテレビ付きインターホン親機に対して呼出信号を発信する呼出信号発信回路を備えたことを特徴とする。
【００１９】
請求項４の発明は、請求項１乃至３いずれかの発明において、テレビ付きインターホン親機がカメラ付きドアホン子器に供給する電源は、テレビ付きインターホン親機とカメラ付きドアホン子器とが通話動作状態にあるときは動作電圧域内にあり、通話動作状態にないときは動作電圧域と異なる待機電圧域内にあり、テレビ付きインターホン親機に接続している２線ケーブルの線間電圧が前記動作電圧域内にあるか、または前記待機電圧域内にあるかにより親機側の通話動作状態を判別する電圧検出回路を備え、前記電圧検出回路の入力側は、テレビ付きインターホン親機を無極性で接続するためのダイオードブリッジを備え、出力側はテレビ付きインターホン親機に対して電気絶縁を保つために絶縁素子を備えていることを特徴とする。
【００２０】
請求項５の発明は、請求項１乃至４いずれかの発明において、カメラ付きドアホン子器はテレビ付きインターホン親機とのインターフェースとして、テレビ付きインターホン親機から供給される電源を無極性で接続するためのダイオードブリッジと、音声信号を入出力するための音声信号通信回路と、映像信号を出力するための映像信号出力回路とを備えており、信号回路は前記カメラ付きドアホン子器と同様にテレビ付きインターホン親機とのインターフェースとして、前記ダイオードブリッジと、前記音声信号通信回路と、前記映像信号出力回路とを備えることを特徴とする。
【００２１】
請求項６の発明は、請求項５の発明において、信号回路は、複数の音声信号から１つの音声信号を選択して音声信号通信回路に出力する音声信号選択回路と、複数の映像信号から１つの映像信号を選択して映像信号出力回路に出力する映像信号選択回路とを備えることを特徴とする。
【００２２】
請求項７の発明は、請求項６の発明において、信号回路は、操作毎に擬音を発生する音声信号を出力する擬音発生回路と、待ち受け画面として絵文字またはブルーバック画面または前記カメラ付きドアホン子器以外のカメラからの映像を映し出す映像信号を出力する映像信号発生回路とを備えることを特徴とする。
【００２３】
請求項８の発明は、請求項３乃至７いずれかの発明において、呼出信号検出回路がカメラ付きドアホン子器からの呼出信号を検出したと同時に外部からの第２の操作が為されたときは、第１の操作による動作を優先して行う判断手段を備えることを特徴とする。
【００２４】
【発明の実施の形態】
以下、本発明の実施の形態を図面に基づいて説明する。図１は本実施形態の信号切換装置１の内部ブロック図を示し、図２は基本外部接続図を示す。信号切換装置１は、テレビ親機接続端子１ａに一端を接続した２線平衡ケーブル４を介してテレビ付きインターホン親機２（以下、テレビ親機２と称する）に接続され、カメラ子機接続端子１ｂに一端を接続した２線平衡ケーブル４を介してカメラ付きドアホン子器３（以下、カメラ子機３と称する）に接続される。ここで、テレビ親機２−信号切換装置１−カメラ子機３間は、２線平衡ケーブル４を介して、音声信号、映像信号、制御信号、直流給電の周波数分割多重化伝送が行われ、カメラ子機３のテレビカメラによって撮影した映像をテレビ親機２のモニターテレビに映し出し、来訪者の映像を確認して通話を行うテレビドアホンシステムを構成している。
【００２５】
信号切換装置１は、マイコン１０により開閉を制御されるスイッチ回路としてリレー接点１１ａ，１１ｂ，１１ｃを有するリレー回路１１を備えており、一対のテレビ親機接続端子１ａ及び一対のカメラ子機接続端子１ｂは、一対の接続線路Ａとリレー接点１１ａとの直列回路を介して互いに接続されており、接続線路Ａの一端側は回路電圧検出回路１４に接続し、他端側はリレー接点１１ｂを介して信号回路１５に接続している。
【００２６】
また、一対のカメラ子機接続端子１ｂの一方の端子はリレー接点１１ｃを介して給電回路１２に接続し、一端を１２Ｖ電源に接続した抵抗Ｒ３（１ｋΩ）の他端を介して、一端をグランドに接続した呼出信号検出回路１３の抵抗Ｒ４，Ｒ５の直列回路の他端に接続しており、抵抗Ｒ４，Ｒ５の接続中点はマイコン１０に接続される。一対のカメラ子機接続端子１ｂの他方の端子はリレー接点１１ｃを介してグランドレベルに接続している。
【００２７】
外部からリレー回路１１を切換える第１の操作が為されて、信号切換装置１が通常の待機状態にあるとき、リレー接点１１ａは閉じた状態であり、リレー接点１１ｂ，１１ｃは開放の状態になっている。この場合、図１に示すようにテレビ親機２とカメラ子機３とは、テレビ親機接続端子１ａ、接続線路Ａ、リレー接点１１ａ、カメラ子機接続端子１ｂを介して２線平衡ケーブル４で接続された状態にある。このテレビ親機２とカメラ子機３とが接続された状態において、接続線路Ａの状態に影響を与えるのは回線電圧検出回路１４のみである。
【００２８】
ここでテレビ親機２とカメラ子機３とが接続された状態では、テレビ親機２がカメラ子機３に電源を供給しており、その電源電圧はテレビ親機２とカメラ子機３とが映像／音声の通話動作状態にあるときは動作電圧域である約２０Ｖ以上であり、通話動作状態にない待機状態のときは待機電圧域内である約８Ｖ以下である。回線電圧検出回路１４はテレビ親機２に接続している２線平衡ケーブル４の線間電圧、すなわち接続線路Ａ間の直流電圧が動作電圧域内か、または待機電圧域内であるかを判定する動作を行うことで、親機側の通話動作状態を判別するものである。このときの判定閾値は、２０Ｖと８Ｖとの中間値である約１４Ｖに設定されている。
【００２９】
ここで、回線電圧検出回路１４のみを抜き出した回路構成図を図３に示す。回路電圧検出回路１４は、テレビ親機２とカメラ子機３とを接続する接続線路Ａ間に並列に挿入されており、一対の接続線路Ａ間に接続した高周波除去用のフィルタコイルＬ１，Ｌ２、及び２線平衡ケーブル４の線間電圧（直流電圧）を無極性化するダイオードブリッジＤＢ１の直列回路と、ダイオードブリッジＤＢ１の出力端間に接続したツェナ電圧１０ＶのツェナダイオードＺＤ１、フォトカプラＰＣ１の入力ＬＥＤ、及び抵抗Ｒ１（３ｋΩ）の直列回路と、一端を５Ｖ電源に接続し、他端をフォトカプラＰＣ１の出力トランジスタのコレクタに接続した抵抗Ｒ２（１０ｋΩ）とから構成される。フォトカプラＰＣ１は、接続線路Ａとマイコン１０とを絶縁して、接続線路Ａに他の回路からの影響を与えないために用いられている。
【００３０】
次にこの回線電圧検出回路１４の動作について説明する。接続線路Ａ間の直流電圧が約１４Ｖ以上になったっとき、フォトカプラＰＣ１の入力ＬＥＤにはオン電流が流れて出力トランジスタはオンして、出力トランジスタのコレクタ電圧、すなわち回線電圧検知信号Ｓ１はＬｏｗレベルとなるので、マイコン１０は、接続線路Ａ間の直流電圧が動作電圧域内であり、テレビ親機２とカメラ子機３とが通話動作状態にあることを検知できる。
【００３１】
また、接続線路Ａ間の直流電圧が約１４Ｖ以下のときは、フォトカプラＰＣ１の入力ＬＥＤにはオン電流が流れず出力トランジスタはオフして、出力トランジスタのコレクタ電圧、すなわち回線電圧検知信号Ｓ１はＨｉｇｈレベルとなるので、マイコン１０は、接続線路Ａ間の直流電圧が待機電圧域内であり、テレビ親機２とカメラ子機３とが待機状態にあることを検知できる。
【００３２】
テレビ親機２とカメラ子機３とが待機状態にあれば、回線電圧検出回路１４に流れ込む電流はほぼゼロであるので、テレビ親機２とカメラ子機３との待機時動作に影響を与えることはない。しかし接続線路Ａ間の直流電圧が約１４Ｖ以上（すなわちテレビ親機２とカメラ子機３とが通話動作状態）あれば、接続線路Ａから回線電圧検出回路１４に約２〜３ｍＡが流れ込む。この電流値は、例えば接続線路Ａ間の直流電圧が２０Ｖならば、２０Ｖから、ダイオードブリッジＤＢ１のフォワードドロップ電圧：約１．５Ｖと、ツェナダイオードＺＤ１のツェナ電圧：１０Ｖと、フォトカプラＰＣ１の入力ＬＥＤのドロップ電圧：約２Ｖとを引いた約６Ｖが抵抗Ｒ１：３ｋΩにかかることから、約２ｍＡとして算出される。
【００３３】
ここで、テレビ親機２とカメラ子機３とが通話動作状態であれば、テレビ親機２からカメラ子機３に対して約２００ｍＡの給電がなされており、カメラ子機３の並列に挿入された回線電圧検出回路１４において約２ｍＡの電流が消費されたとしてもカメラ子機３の動作に与える影響、及びテレビ親機２に与える影響は無視できる。
【００３４】
さらに、回線電圧検出回路１４の回線線路Ａ間の交流インピーダンスも抵抗Ｒ１の抵抗値である３ｋΩ以上あるので、映像伝送インピーダンスの１００Ω、及び音声帯域の伝送インピーダンス約３００Ωに比べて十分に高く、交流信号においてもテレビ親機２−カメラ子機３間の映像／音声通話の動作に与える影響は無視できる。
【００３５】
すなわち、上記のように本発明の信号切換装置１が待機状態にあっては、伝送路に影響を与えることなくテレビ親機２とカメラ子機３との接続を保つと共に回線電圧検出回路１４の働きによって、テレビ親機２−カメラ子機３間の通話動作状態を監視することができる。
【００３６】
次に図１において、外部からリレー回路１１を切換える第２の操作が為され、リレー接点１１ａが開放の状態になり、リレー接点１１ｂ，１１ｃが閉じた状態になった場合の動作について説明する。この場合、テレビ親機２と信号回路１５とは、テレビ親機接続端子１ａ、接続線路Ａ、リレー接点１１ｂを介して接続された状態にある。またカメラ子機３と給電回路１２，呼出信号検出回路１３とは、カメラ子機接続端子１ｂ、リレー接点１１ｃを介して接続された状態にある。
【００３７】
まず、信号回路１５の構成について説明する。信号回路１５は、テレビ親機２との接続部となるインターフェース回路Ｂと、擬音を発生する音声信号を出力する擬音発生回路１６と、種々の映像信号を出力する映像信号発生回路１７と、擬音発生回路１６の出力及び音楽等の他の音声信号を接続される音声信号選択回路１８と、映像信号発生回路１７の出力及び他の映像信号（テレビ親機２とは別の監視カメラ等）を接続される映像信号選択回路１９と、インターフェース回路Ｂを介してテレビ親機２から電源を供給されて内部電源を生成している内部電源回路３０とから構成され、音声信号選択回路１８及び映像信号選択回路１９はインターフェース回路Ｂに接続される。
【００３８】
インターフェース回路Ｂは、リレー接点１１ｂを介して一対の接続線路Ａ間に接続した高周波除去用のフィルタコイルＬ３，Ｌ４、及び２線平衡ケーブル４の線間電圧（直流電圧）を無極性化するダイオードブリッジＤＢ２の直列回路と、ダイオードブリッジＤＢ２の出力端間に接続した、ダーリントン接続したトランジスタＴｒ１，Ｔｒ２、抵抗Ｒ６、及びコンデンサＣ２（３３０μＦ）の直列回路と、トランジスタＴｒ１及び抵抗Ｒ６の直列回路に並列接続して接続中点をトランジスタＴｒ２のベースに接続した抵抗Ｒ７（１０ｋΩ）及び抵抗Ｒ８（１００ｋΩ）の直列回路と、抵抗Ｒ８に並列接続されたコンデンサＣ１（２２μＦ）と、マイコン１０及び抵抗Ｒ６とコンデンサＣ２との接続中点に接続した呼出信号発信回路１５ｂと、ダイオードブリッジＤＢ２の正出力側に接続した制御信号回路１５ｃと、ダイオードブリッジＤＢ２の正出力側及び音声信号選択回路１８に接続した音声信号通信回路１５ｄと、リレー接点１１ｂを介して一対の接続線路Ａ間に接続した映像ＦＭ信号送出回路１５ａと、映像ＦＭ信号送出回路１５ａ及び映像信号選択回路１９に接続した映像信号ＦＭ変調器１５ｅとから構成される。ここで、映像ＦＭ信号送出回路１５ａ及び映像信号ＦＭ変調器１５ｅは映像信号をテレビ親機２に対して出力するための映像信号出力回路を構成している。
【００３９】
映像ＦＭ信号送出回路１５ａは、リレー接点１１ｂを介して一対の接続線路Ａ間に接続したコンデンサＣ６，Ｃ７、抵抗Ｒ１２，Ｒ１４、トランスＴ１の２次コイルの直列回路と、トランスＴ１の２次コイルに並列接続した抵抗Ｒ１１と、抵抗Ｒ１２，Ｒ１４を介して抵抗Ｒ１１に並列接続した抵抗Ｒ１３と、一端をグランドレベルに接続したトランスＴ１の１次コイルの他端に直列接続したコンデンサＣ５及び抵抗Ｒ１０の直列回路とから構成され、トランスＴ１の１次コイルはコンデンサＣ５及び抵抗Ｒ１０を介して映像信号ＦＭ変調器に接続される。
【００４０】
また、内部電源回路３０は、抵抗Ｒ６とコンデンサＣ２との接続中点に接続されている。
【００４１】
次に、信号回路１５の動作について説明する。まず、ダーリントン接続したトランジスタＴｒ１，Ｔｒ２、抵抗Ｒ６，Ｒ７，Ｒ８、コンデンサＣ１，Ｃ２は、受電回路を構成しており、テレビ親機２から供給される電源はダイオードブリッジＤＢ２によって無極性化され、前記受電回路のダーリントン接続されたトランジスタＴｒ１，Ｔｒ２、抵抗Ｒ６を介して、内部電源回路３０によって信号切換装置１の回路電源としても使用されるため、所定の電源制御が行われる。
【００４２】
呼出信号発信回路１５ｂは、出力端側にトランジスタ素子（図示なし）を持っており、マイコン１０から数百ミリ秒間のトランジスタオン信号が出力されて、このトランジスタ素子がオンし、トランジスタＴｒ１，Ｔｒ２、抵抗Ｒ６，Ｒ７，Ｒ８、コンデンサＣ１，Ｃ２からなる受電回路の電流量を一瞬増加させる。この電流増加の結果、ダイオードブリッジＤＢ２のリレー接点１１ｂ側の回線電圧が数百ミリ秒間、低下する。リレー接点１１ｂ、接続線路Ａ、テレビ親機接続端子１ａを介して接続しているテレビ親機２は、常に回線電圧を監視しており、先に述べた数百ミリ秒間の電圧低下を検知すると、呼出信号発信回路１５ｂからの呼び出しがあったものと判定する。
【００４３】
制御信号回路１５ｃは、リレー接点１１ｂ、接続線路Ａ、テレビ親機接続端子１ａを介して接続しているテレビ親機２から、ＡＳＫ変調された制御信号が送られてくる。このＡＳＫ変調制御信号は、５０キロヘルツキャリアで変調されており、ダイオードブリッジＤＢ２の正出力側に接続したラインから、制御信号回路１５ｃ内部において、直流成分カット及び制御信号カップリング用のコンデンサを通った後ゲイン設定帰還抵抗を経て増幅され、ＡＳＫ信号検波器で検波されることで５０キロヘルツキャリアが解かれてＡＳＫ伝送制御信号に変換されて、制御信号回路１５ｃからマイコン１０に出力される。
【００４４】
そして、操作毎に擬音発生回路１６が発生する種々の擬音、例えばリレー回路１１の切換操作に連動した「ピッ」音や警報音等の擬音の音声信号や、他の音声信号として待ち受け中のＢＧＭ用の音楽信号や、音声メッセージ等の音声信号は音声信号選択回路１８に入力され、音声信号選択回路１８は入力された複数の音声信号から１つの音声信号を選択し、選択された音声信号は、音声信号通信回路１５ｄ内で増幅され、直流成分カット及び音声信号カップリング用のコンデンサを通った後、音声信号通信回路１５ｄから、ダイオードブリッジＤＢ２の正出力側に接続したライン、リレー接点１１ｂ、接続線路Ａ、テレビ親機接続端子１ａを介して接続しているテレビ親機２に出力される。
【００４５】
またテレビ親機２に表示する映像として、待ち受け中の種々の絵文字表示のために映像信号発生回路１７が発生する文字信号、絵信号、ブルーバック画面や、他の映像信号として監視カメラまたは他のカメラ子機が撮影した映像信号等は映像信号選択回路１９に入力され、映像信号選択回路１９は入力された複数の映像信号から１つの映像信号を選択して、選択された映像信号は、映像信号ＦＭ変調器１５ｅでＦＭ信号に変調され、映像ＦＭ信号送出回路１５ａを介してテレビ親機２に出力される。
【００４６】
このような構成を有する信号回路１５がリレー回路１１の動作によってテレビ親機２と接続されたことは、別のカメラ子機３がテレビ親機２に対して接続されたことと同じ意味合いとなる。これは、リレー接点１１ｂによってテレビ親機２に接続された信号回路１５のインターフェース回路Ｂは、図４に示すカメラ子機３が備えるテレビ親機２とのインターフェース回路Ｂと同じ回路構成を備えているからである。
【００４７】
ここでカメラ子機３の構成は、インターフェース回路Ｂと、電源回路のダーリントン接続されたトランジスタＴｒ１，Ｔｒ２、抵抗Ｒ６を介してテレビ親機２から電源を供給されて内部電源を生成している内部電源回路３０と、居室からの音声などを出力する音声出力スピーカに相当するスピーカ３４と、送話音声を入力し電気的な音声信号に変換する通話マイクに相当するマイク３５と、スピーカ３２を駆動するために受話音声信号を増幅するスピーカアンプ３２と、マイク３５からの音声信号を増幅するためのマイクアンプ３３と、送話及び受話を一対の配線によって行うために４線配線を２線配線に変換して音声信号通信回路１５ｄに接続する２線４線変換回路３１と、来訪者を撮影し映像信号ＦＭ変調器１５ｅに映像信号を出力するカメラ回路３６とを備えており、インターフェース回路Ｂの構成は信号切換装置１のインターフェース回路Ｂと同様の構成である。
【００４８】
そして、図１においてリレー接点１１ａが開放の状態になり、テレビ親機２と切り離されたカメラ子機３に対しては、リレー接点１１ｃが閉じることにより給電回路１２の抵抗Ｒ３（１ｋΩ）を介して１２Ｖ電源から電源を供給するとともに、カメラ子機３の呼出信号発信回路１５ｂから発信された呼出信号を、カメラ子機接続端子１ｂ、リレー接点１１ｃ、給電回路１２を介して呼出信号検出回路１３で受けて、抵抗Ｒ４，Ｒ５の接続中点の電圧を呼出検出信号Ｓ２としてマイコン１０に伝達する。そして、マイコン１０がインターフェース回路Ｂの呼出信号発信回路１５ｂに呼出信号を発信するよう指示し、呼出信号発信回路１５ｂがダイオードブリッジＤＢ２のリレー接点１１ｂ側の回線電圧を数百ミリ秒間、低下させることによって、リレー接点１１ｂ、接続線路Ａ、テレビ親機接続端子１ａを介して呼出信号を伝達して、テレビ親機２にて呼出検出を行うことができる。
【００４９】
このように本発明の信号切換装置１に内蔵された信号回路１５には、カメラ子機３と同じインターフェース回路Ｂを備えているので、テレビ親機２と切り離されたカメラ子機３からの呼出しを、呼出信号検出回路１３によってマイコン１０が検知した場合でも呼出信号発信回路１５ｂを作動させて、カメラ子機３に代わってテレビ親機２へ呼出しを通知することができ、その上で、リレー接点１１ａを閉じた状態、リレー接点１１ｂ，１１ｃを開放の状態に切換えることで、テレビ親機２とカメラ子機３とを再び接続し、テレビ親機２−カメラ子機３間の本来の動作を復帰実現することができる。
【００５０】
さらにテレビ親機２からカメラ子機３を切り離し、信号回路１５に接続しているときだけでなく、呼出信号検出回路１３がカメラ子機３からの呼出信号を検出したと同時に外部からの第２の操作が為されたときにも、マイコン１０は、第１の操作による切換動作、即ちテレビ親機２とカメラ子機３とを優先して接続する判断手段を備えるので、来客からの報知を無視することなく、カメラ子機３との接続が優先されて、ドアホンとしての従来の報知機能を維持することができる。
【００５１】
【発明の効果】
請求項１の発明は、テレビカメラによって撮影した映像信号を出力するカメラ付きドアホン子器、及び映像信号を入力して映像を映し出すとともに接続したカメラ付きドアホン子器に電源を供給するテレビ付きインターホン親機に２線ケーブルによって各々接続しており、
映像信号及び音声信号を出力する信号回路と、テレビ付きインターホン親機−カメラ付きドアホン子器間を外部からの第１の操作を受けて接続し、第２の操作を受けて遮断する第１のスイッチ回路と、テレビ付きインターホン親機−信号回路間を外部からの第１の操作を受けて遮断し、第２の操作を受けて接続する第２のスイッチ回路と、テレビ付きインターホン親機とカメラ付きドアホン子器とが接続していない場合にはカメラ付きドアホン子器に電源を供給する給電回路と、カメラ付きドアホン子器−給電回路間を外部からの第１の操作を受けて遮断し、第２の操作を受けて接続する第３のスイッチ回路とを備えて、
外部からの第１の操作によってテレビ付きインターホン親機にカメラ付きドアホン子器が出力する映像信号を入力し、且つテレビ付きインターホン親機からカメラ付きドアホン子器に電源を供給して、第２の操作によってテレビ付きインターホン親機に信号回路が出力する映像信号及び音声信号を入力し、且つ給電回路からカメラ付きドアホン子器に電源を供給するので、第１の操作を為した通常時はテレビ付きインターホン親機とカメラ付きドアホン子器との間の信号に影響を与えることなく、テレビ付きインターホン親機とカメラ付きドアホン子器とを接続し動作させることができ、第２の操作を為してスイッチ回路の切換動作を行えば、信号回路が出力する信号、例えば監視カメラの信号等をテレビ付きインターホン親機へ接続することができ、且つ信号回路と親機とが接続された場合にもカメラ付きドアホン子器への給電を行うことができるという効果がある。
【００５２】
請求項２の発明は、請求項１の発明において、カメラ付きドアホン子器が出力する来客からの報知である呼出信号を検出する呼出信号検出回路を備え、前記第３のスイッチ回路は、外部からの第１の操作を受けてカメラ付きドアホン子器−給電回路、呼出信号検出回路間を遮断し、第２の操作を受けてカメラ付きドアホン子器−給電回路、呼出信号検出回路間を接続するので、スイッチ回路の切換動作により、信号回路をテレビ付きインターホン親機に接続した場合にも、カメラ付きドアホン子器からの来客呼出しを継続して検出することができるという効果がある。
【００５３】
請求項３の発明は、請求項２の発明において、呼出信号検出回路がカメラ付きドアホン子器からの呼出信号を検出したとき、カメラ付きドアホン子器に代わってテレビ付きインターホン親機に対して呼出信号を発信する呼出信号発信回路を備えたので、スイッチ回路の切換動作により、信号回路をテレビ付きインターホン親機に接続している時にカメラ付きドアホン子器からの来客呼出しを検出した場合に、来客からの報知を無視することなく、本信号切換装置がカメラ付きドアホン子器に代わってテレビ付きインターホン親機に対して呼出信号を発信することで従来のテレビドアホンシステムと同様の機能を維持、実現できるという効果がある。
【００５４】
請求項４の発明は、請求項１乃至３いずれかの発明において、テレビ付きインターホン親機がカメラ付きドアホン子器に供給する電源は、テレビ付きインターホン親機とカメラ付きドアホン子器とが通話動作状態にあるときは動作電圧域内にあり、通話動作状態にないときは動作電圧域と異なる待機電圧域内にあり、テレビ付きインターホン親機に接続している２線ケーブルの線間電圧が前記動作電圧域内にあるか、または前記待機電圧域内にあるかにより親機側の通話動作状態を判別する電圧検出回路を備え、前記電圧検出回路の入力側は、テレビ付きインターホン親機を無極性で接続するためのダイオードブリッジを備え、出力側はテレビ付きインターホン親機に対して電気絶縁を保つために絶縁素子を備えているので、テレビ付きインターホン親機の動作状態をテレビ付きインターホン親機が出力する信号に影響を与えることなく監視でき、テレビ付きインターホン親機とカメラ付きドアホン子器とが既に接続された動作状態においては、外部からの切換操作による一方的な切換動作を禁止する制御が可能になり、テレビドアホンシステムとしての動作に支障をきたすことを防止できるという効果がある。
【００５５】
請求項５の発明は、請求項１乃至４いずれかの発明において、カメラ付きドアホン子器はテレビ付きインターホン親機とのインターフェースとして、テレビ付きインターホン親機から供給される電源を無極性で接続するためのダイオードブリッジと、音声信号を入出力するための音声信号通信回路と、映像信号を出力するための映像信号出力回路とを備えており、信号回路は前記カメラ付きドアホン子器と同様にテレビ付きインターホン親機とのインターフェースとして、前記ダイオードブリッジと、前記音声信号通信回路と、前記映像信号出力回路とを備えるので、信号回路をテレビ付きインターホン親機に接続するときに、カメラ付きドアホン子器と同様に極性を意識することなく無極性接続を行うことができるという効果がある。
【００５６】
請求項６の発明は、請求項５の発明において、信号回路は、複数の音声信号から１つの音声信号を選択して音声信号通信回路に出力する音声信号選択回路と、複数の映像信号から１つの映像信号を選択して映像信号出力回路に出力する映像信号選択回路とを備えるので、テレビ付きインターホン親機はカメラ付きドアホン子器からの音声，映像信号だけでなく、複数の音声，映像信号の中から選択した信号を出力し、映し出すことができるという効果がある。
【００５７】
請求項７の発明は、請求項６の発明において、信号回路は、操作毎に擬音を発生する音声信号を出力する擬音発生回路と、待ち受け画面として絵文字またはブルーバック画面または前記カメラ付きドアホン子器以外のカメラからの映像を映し出す映像信号を出力する映像信号発生回路とを備えるので、テレビ付きインターホン親機の画面に、カメラ付きドアホン子器で撮影した映像以外の映像、例えば待ち受け画面としての文字信号や絵柄パターンやブルーバック画面、または他のカメラや他のカメラ付きドアホン子器で撮影した映像を映し出したり、あるいは切換動作に連動した「ピィ」音やＢＧＭ等のカメラ付きドアホン子器以外からの音声信号を出力することができるという効果がある。
【００５８】
請求項８の発明は、請求項３乃至７いずれかの発明において、呼出信号検出回路がカメラ付きドアホン子器からの呼出信号を検出したと同時に外部からの第２の操作が為されたときは、第１の操作による動作を優先して行う判断手段を備えるので、スイッチ回路の切換動作により、テレビ付きインターホン親機をカメラ付きドアホン子器から切り離し、信号回路に接続しているときにも、来客からの報知を無視することなく、カメラ付きドアホン子器との接続が優先されて、ドアホンとしての従来の報知機能を維持することができるという効果がある。
【図面の簡単な説明】
【図１】本発明の信号切換装置の内部ブロックを示す図である。
【図２】本発明の信号切換装置の基本外部接続を示す図である。
【図３】本発明の信号切換装置の回線電圧検出回路の回路構成を示す図である。
【図４】カメラ子機の内部ブロックを示す図である。
【図５】従来のテレビ親機とカメラ子機との接続を示す図である。
【符号の説明】
１  信号切換装置
１１  スイッチ回路
１１ａ，１１ｂ，１１ｃ  リレー接点
１２  給電回路
１３  呼出信号検出回路
１４  回線電圧検出回路
１５  信号回路
Ａ  接続線路
Ｂ  インターフェース回路
【図１】
0003832336.tif 000002
【図２】
0003832336.tif 000003
【図３】
0003832336.tif 000004
【図４】
0003832336.tif 000005
【図５】
0003832336.tif 000006